(57)【要約】【課題】  平坦なフロント部の両側に設けた継手に連結したツルが折畳まれた場合に薄くなる薄型メガネの提供。【解決手段】  フロント部１の水平中立軸上の外側に継手６ａ、６ｂを設け、一方側継手６ａの軸８ａはフロント部１を含む平面に対して外側上方から内側下方へ傾斜し、他方側継手６ｂの軸８ｂはフロント部１を含む平面に対して内側上方から外側下方へ傾斜し、これら傾斜した軸６ａ，６ｂに連結したツル２ａ，２ｂを折畳む場合、一方側の継手６ａに連結したツル２ａはフロント部１の上側に位置し、他方側の継手６ｂに連結したツル２ｂはフロント部１の下側に位置するようにした。【選択図】    図４
2015090390.tif 000002
【特許請求の範囲】
【請求項１】
平坦なフロント部の両側に設けた継手にツルが折畳み出来るように取付けられたメガネにおいて、フロント部の水平中立軸上の外側に継手を設け、一方側継手の軸はフロント部を含む平面に対して外側上方から内側下方へ傾斜し、他方側継手の軸はフロント部を含む平面に対して内側上方から外側下方へ傾斜し、これら傾斜した軸に連結したツルを折畳む場合、一方側の継手に連結したツルはフロント部の上側に位置し、他方側の継手に連結したツルはフロント部の下側に位置するようにしたことを特徴とする薄型メガネ。
【請求項２】
折畳まれたツルはフロント部と同一面に収まるようにした請求項１記載の薄型メガネ。
【発明の詳細な説明】
【技術分野】
【０００１】
本発明は顔から外して持ち歩く際に、胸ポケットに収納出来ることは勿論、本や雑誌に挟むことが出来る薄型メガネに関するものである。
【背景技術】
【０００２】
メガネには色々な形態があり、又多種多様なデザイン・装飾が施されている。そして機能面では長時間にわたって着用していても疲れを感じることがないように、チタンなどの材質が使用されて軽くなっている。又、フロント部にリムを備えることなく、両レンズを連結部材で直接ネジ止めし、レンズ外側にはヨロイをネジ止めした縁なしメガネも多用されている。
【０００３】
図７は一般的なメガネを示しているが、該メガネはフロント部（イ）の両側にツル（ロ）、（ロ）を折畳み出来るように取付けている。そしてフロント部（イ）は両リム（ハ）、（ハ）を連結部材（ニ）にて連結すると共に、両リム（ハ）、（ハ）の外側にはヨロイ（ホ）、（ホ）がロウ付けされて構成し、該ヨロイ（ホ）、（ホ）に上記ツル（ロ）、（ロ）が蝶番（ヘ）、（ヘ）を介して折畳み可能に連結している。そしてリム（ハ）、（ハ）にはレンズ（ト）、（ト）が嵌っている。
【０００４】
図８はメガネを外してツル（ロ）、（ロ）が折畳まれた場合であり、両ツル（ロ）、（ロ）は互いに重なり合っている。そして同図から明らかなように、ツル（ロ）、（ロ）はフロント部（イ）の裏側に折畳まれ、その厚さ寸法Ｈは比較的大きくなる。近眼用のメガネであるならば常に着用しているが、老眼鏡は仕事をする場合、新聞雑誌を読む場合などに着用する為に、一般にはメガネケースに入れて常時持ち歩いている。
【０００５】
したがって、携帯する老眼鏡は出来るだけコンパクトであることが必要である。フロント部の縦横寸法は顔に掛ける関係上小さくするには限度があるが、折畳んだ状態の厚さ寸法Ｈを小さくすることで、収容するメガネケースは薄くなる。しかし、従来のメガネでは、フロント部両側に概略Ｌ型をしたヨロイ（ホ）、（ホ）が設けられ、該ヨロイ（ホ）、（ホ）に取付けられたツル（ロ）、（ロ）が該フロント部の裏側に重なり合うように折畳まれる為に、厚さの縮小には限度がある。
【０００６】
実開平１−６４６１６号に係る「薄型メガネ」は、メガネフレームのフロント部上縁の左右端に垂直に枢支軸を設け、該枢支軸によってテンプル（ツル）を枢支している。従って、このメガネはコンパクトに折畳むことが出来、場所を取らずに収納可能であり、持ち運びに便利で特に老眼鏡用として有効である。
【０００７】
実開平５−４５６３５号に係る「折りたたみ式眼鏡」は、折りたたんだ状態がカードのように薄くなり、ワイシャツや洋服などのポケットに入れても該ポケットが膨らまず、財布などの薄いスペースにも収納可能で携帯に便利なメガネである。
そこで、レンズが嵌め込まれた薄板状のフロントが中央でヒンジで連結されて折りたたみ可能であると共に、テンプルも前テンプルと後テンプルからなって折りたたみ可能であり、テンプルを折りたたむと後テンプルがフロントの上端縁に乗るようになる。
【０００８】
特開２００９−６９３５６号に係る「薄型メガネ」は、概略楕円形リムの中心から延びる水平基線に対して下方へ傾斜した傾斜線がリムと交わる位置にブローチを設け、該ブローチには継手を取付けると共に、該継手の軸は上記位置におけるリムの接線と平行とし、そして、継手に取付けたツルは折畳まれた状態でフロント部と同一面を成してリムに沿って立ち上がり、その後は真っ直ぐに延びて先端部は湾曲したモダンとし、又ツルを開いた状態では外側へ傾斜し、さらに、両リムを連結する連結部材は山形としてリムの下側に設けている。
【特許文献１】実開平１−６４６１６号に係る「薄型メガネ」
【特許文献２】実開平５−４５６３５号に係る「折りたたみ式眼鏡」
【特許文献３】特開２００９−６９３５６号に係る「薄型メガネ」
【発明の開示】
【発明が解決しようとする課題】
【０００９】
このように、老眼鏡をコンパクトに携帯することが出来るように構成した薄型メガネは色々存在している。本発明が解決しようとする課題は、ツルを折畳んだ際の厚みが薄くなって、胸ポケットに入れたり本に挟み込んで持ち運び出来ると共に、掛け心地が良好な薄型メガネを提供する。
【課題を解決するための手段】
【００１０】
本発明に係る薄型メガネはフロント部の両側にツルを折畳み可能に取付けた形態であるが、該折畳まれるツルはフロント部の裏側に重なり合うことなく、該フロント部の上側と下側に配置され、折畳まれたツルはフロント部と同一面に位置する。すなわち、一方側のツルはフロント部の上側に位置し、他方側のツルはフロント部の下側に位置して折畳まれる。
【００１１】
上記ツルは両リムの外側に設けたブローチに継手を介して取付けられるが、該ブローチはリムの外側に位置し、ブローチに取付けた継手に設けた軸にツルは旋回できるように連結している。ここで、上記軸はフロント部を含む平面に対して傾斜した向きを成し、その為に一方のツルはフロント部の上側に折畳まれ、他方のツルはフロント部の下側に折畳まれる。
【発明の効果】
【００１２】
本発明に係るメガネではツルを折畳んだ場合、フロント部と同一面に収まる為に折畳み状態の厚さが薄くなる。しかも、折畳まれる両ツルはたがいに重なり合うことなく、一方のツルはフロント部の上側に位置して折畳まれ、他方のツルはフロント部の下側に位置して折畳まれる。従って、両ツルを折畳んだメガネは薄くなり、メガネケースの厚さも薄くなって、胸ポケットに入れて持ち歩くことが出来るのみならず、本に挟むことができるシオリとして機能する。
【００１３】
すなわち、読み終えた箇所に該薄型メガネを外して挟み込み、再度読み始める際にはシオリとして挟んだ薄型メガネを顔に掛けることが出来る。そして、ツルが折畳まれた状態ではフロント部と同一面に収まることから、仮に床面に放置した場合であっても、足で踏み付けても破損することはない。
【図面の簡単な説明】
【００１４】
【図１】本発明に係る薄型メガネを示す斜視図。
【図２】本発明に係る薄型メガネを示す平面図。
【図３】本発明に係る薄型メガネを示す側面図。
【図４】ツルを折畳んだ場合の本発明の薄型メガネ。
【図５】右側継手部分の拡大図。
【図６】左側継手部分の拡大図。
【図７】従来の一般的なメガネ。
【図８】従来メガネのツルが折畳まれた場合。
【発明を実施するための形態】
【００１５】
図１は本発明に係る薄型メガネを表している実施例であり、フロント部１の両側にはツル２ａ，２ｂが折畳み出来るように取付けられている。フロント部１は両リム３ａ，３ｂが山形に湾曲した連結部材４にて連結され、リム外側にはブローチ５ａ，５ｂが設けられ、そして該ブローチ５ａ，５ｂには継手６ａ，６ｂが取付けられて、ツル２ａ，２ｂは継手６ａ，６ｂを介して折畳み出来るように連結している。
【００１６】
ところで、上記ブローチ５ａ，５ｂの構造、及び該ブローチ５ａ，５ｂに設けた継手６ａ，６ｂの具体的な構造は限定しないことにする。例えば、一般的な蝶番を継手６ａ，６ｂとして採用することも可能である。同図に示す継手６ａ，６ｂはその外形を概略球体とし、上記ブローチ５ａ，５ｂに連結片７ａ，７ｂを介して連結され、該継手６ａ，６ｂに設けた軸８ａ，８ｂにツル２ａ，２ｂの基部が連結している。
【００１７】
図２は本発明に係る薄型メガネの平面図、図３は側面図を表しているが、フロント部１は一般的な近眼用メガネのように湾曲しておらず、平坦面をなしている。そして、両リム３ａ，３ｂを連結する連結部材４は山形を成し、該フロント部１を支える為の鼻当てパットを取付けていない。該連結部材４の形状を山形に湾曲することで直接鼻に当てて支持することが出来る。
【００１８】
そして、フロント部１の両側に設けた上記継手６ａ，６ｂに連結したツル２ａ，２ｂは後方へ延びているが、基部９ａ，９ｂから外側へ膨らみ、そして先端部には湾曲部１０ａ、１０ｂを形成している。この湾曲部１０ａ，１０ｂはツル２ａ，２ｂが開いた状態で内側へ滑らかな凸状を成して湾曲し、メガネを着用した場合に上記湾曲部１０ａ，１０ｂは頭部に係合することが出来る。従って、メガネは位置ズレしたり外れることはなく、フロント部１は所定の位置に安定する。
【００１９】
図４はツル２ａ，２ｂを折畳んだ状態を示している。このように、ツル２ａ，２ｂを折畳むならば、一方のツル２ａはフロント部１の上側に位置し、他方のツル２ｂはフロント１の下側に位置するように旋回することが出来る。しかも、折畳まれたツル２ａ，２ｂはフロント部１と同一面に配置され、フロント部１の厚さに収まる。
【００２０】
図５は一方側（右側）の継手６ａを示す拡大図であり、該継手６ａの外形は概略球体をなしてその外側にスリットを有し、このスリットにツル２ａの基部９ａが嵌合している。そして、継手６ａに取付けた軸８ａは基部９ａの軸穴を貫通し、その為に軸８ａを中心としてツル２ａは旋回して折畳まれる。
ここで、上記軸８ａはフロント部１と同一面でなく、傾斜している。すなわち、フロント部１を含む平面に対して軸８ａは外側上方から内側下方へ傾斜している。その為に、この軸８ａを中心として旋回して折畳まれるツル２ａはフロント部１の上側に位置し、該フロント部１と同一面に収まる。
【００２１】
これに対して、他方のツル２ｂは折畳まれる場合はフロント部１の下側に位置し、該フロント部１と同一面に収まることが出来る。
ツル２ａ，２ｂは図１に示すように湾曲しているが、一平面内（２次元内）に収まっていることで、折畳まれるツル２ａ，２ｂはフロント部１と同一面となる。
図６は左側の継手６ｂを表す拡大図であり、同図から明らかなようにこの継手６ｂの軸８ｂは、フロント部１を含む平面に対して内側上方から外側下方へ傾斜している。
【００２２】
ところで、上記軸８ａ，８ｂがフロント部１に対して傾斜していることで、ツル２ａは旋回してフロント部１の上側に折畳まれ、ツル２ｂは旋回してフロント部１の下側に折畳まれる。
継手６ａ，６ｂはフロント部１の水平中立軸Ｍ−Ｍに設けられ、折畳まれたツル２ａは基部９ａから外側へ張り出すように湾曲することでフロント部１の上側に沿って延び、その先端部も湾曲して水平中立軸Ｍ−Ｍ側へ延びている。また、折畳まれたツル２ｂは基部９ｂから外側へ張り出すように湾曲することでフロント部１の下側に沿って湾曲して延び、その先端部も湾曲して水平中立軸Ｍ−Ｍ側へ延びている。すなわち、両ツル２ａ，２ｂはフロント部１を包み込むように折畳まれる。
【００２３】
ところで、図１に示した薄型メガネはリム３ａ，３ｂを備えた形態であるが、上側半分のハーフリム、又は下側半分のハーフリムを備えたフロント部１として構成することもある。さらに、リム３ａ，３ｂを持たないフロント部１とすることも出来る。リム３ａ，３ｂを持たないフロント部１ではブローチを必要としない為に、継手６ａ，６ｂをレンズに直接ネジ止めする。
また、メガネフレームは金属製に限らず樹脂製とすることも出来、金属製のフロント部の場合もリム３ａ，３ｂを連結部材４にて連結し、両側にブローチをロウ付けする構造ではなく、一枚の金属板を打ち抜いたり、切断して製作することもあり得る。
【符号の説明】
【００２４】
１  フロント部
２  ツル
３  リム
４  連結部材
５  ブローチ
６  継手
７  連結片
８  軸
９  基部
10  湾曲部
【図１】
2015090390.tif 000003
【図２】
2015090390.tif 000004
【図３】
2015090390.tif 000005
【図４】
2015090390.tif 000006
【図５】
2015090390.tif 000007
【図６】
2015090390.tif 000008
【図７】
2015090390.tif 000009
【図８】
2015090390.tif 000010